(57)【要約】  本発明による読書補助用器具は、本のページの間に挟まれて該当ページが捲れるのを防止するためのものであって、棒状の本体；及び、本の綴じ目付近に密着するように上記本体の表面に窪んだ輪郭に形成された本捲れ防止部；を含むことを特徴とする。
2011527645.tif 000002
【特許請求の範囲】
【請求項１】
本のページの間に挟まれて該当ページが捲れるのを防止するためのものであって、棒状の本体；及び、本の綴じ目付近に密着するように上記本体の表面に窪んだ輪郭に形成された本捲れ防止部；を含む読書補助用器具。
【請求項２】
上記本体からその本体の外部へ長く突出されたしおりを含む請求項１に記載の読書補助用器具。
【請求項３】
上記しおりは、柔軟性のある高分子素材からなることを特徴とする請求項２に記載の読書補助用器具。
【請求項４】
上記本捲れ防止部は、相互対向するページに接触され得るように一対が備えられ、吸着力のある高分子素材が付着されていることを特徴とする請求項１に記載の読書補助用器具。
【請求項５】
上記本体としおりとは、分離可能に結合されていることを特徴とする請求項２に記載の読書補助用器具。
【請求項６】
上記本体は耳栓用収容溝部を備え、該耳栓用収容溝部には耳栓が分離可能に収容されていることを特徴とする請求項１に記載の読書補助用器具。
【請求項７】
上記本体は、粘着性のあるメモ紙、又はメガネなどの表面を拭けるクリーナーを収容していることを特徴とする請求項１に記載の読書補助用器具。
【請求項８】
上記本体は、小型ルーペ又は小型ライトを収容していることを特徴とする請求項１に記載の読書補助用器具。
【請求項９】
上記本体は、ＵＳＢメモリ又は小型充電池を収容していることを特徴とする請求項１に記載の読書補助用器具。
【請求項１０】
上記本体は、鉛筆やボールペンのような筆記具が差し込み可能な結合溝を備えることを特徴とする請求項１に記載の読書補助用器具。
【請求項１１】
上記本体は、キーホルダなどに掛けることができるようにリング部が備えられることを特徴とする請求項１に記載の読書補助用器具。
【発明の詳細な説明】
【技術分野】
【０００１】
本発明は、読書補助用器具に関し、人が読書する場合に本のページの間に挟んで該当ページが捲れるのを防止する機能を果たす道具に関する。
【背景技術】
【０００２】
一般に読書補助用器具は、人が本を読む場合にその読書行為に役立つよう使われ得るものであって、例えば、しおり、読書台などのようなものがある。従来のしおりは、本を読んでいる途中にその読んだ部分を表示して、後に続けて本を読む場合に既に読んだ部分を探しやすくするために使われる。一方、読書台は、人が本を読む場合に本の角度を調節して目の疲労感を軽減し読書者の集中力を高めるために使われる。
【０００３】
ところが、室内空間にある机で読書する場合は勿論のこと、列車やバスなどのような交通機関に搭乗して読書する場合に上記読書台を携帯するのは非常に手間がかかるという問題点がある。
【０００４】
また、上記しおりは一般に、特定のページの間に挟んで既に読んだ部分を表示する機能しか有さない。
【０００５】
ところが、読書時には本の製本特性上、開いたページを人が手で把持したり押さえたりしない場合は、自然に捲れて読んだページを再び探さなければならないという手間が頻繁に生じる。
【０００６】
従って、読書する場合に人が読んでいるページを人為的に把持したり押さえたりしなくても、該当ページが自然に捲れるのを防止するための道具が求められている。
【発明の概要】
【発明が解決しようとする課題】
【０００７】
本発明による読書補助用器具の目的は、人が読書する場合に、読んでいるページが捲れないようにする構造が含まれた読書補助用器具を提供することにある。
【課題を解決するための手段】
【０００８】
本発明による読書補助用器具は、本のページの間に挟まれて該当ページが捲れるのを防止するためのものであって、
棒状の本体；及び、
本の綴じ目付近に密着するように上記本体の表面に窪んだ輪郭に形成された本捲れ防止部；を含むことを特徴とする。
【０００９】
上記本体からその本体の外部へ長く突出されたしおりを含むのが望ましい。
【００１０】
上記しおりは、柔軟性のある高分子素材からなるのが望ましい。
【００１１】
上記本捲れ防止部は、相互対向するページに接触され得るように一対が備えられ、吸着力のある高分子素材が付着されているのが望ましい。
【００１２】
上記本体としおりとは、分離可能に結合されているのが望ましい。
【００１３】
上記本体は耳栓用収容溝部を備え、該耳栓用収容溝部には耳栓が分離可能に収容されているのが望ましい。
【００１４】
上記本体は、粘着性のあるメモ紙、又はメガネなどの表面を拭けるクリーナーを収容しているのが望ましい。
【００１５】
上記本体は、小型ルーペ又は小型ライトを収容しているのが望ましい。
【００１６】
上記本体は、ＵＳＢメモリ又は小型充電池を収容しているのが望ましい。
【００１７】
上記本体は、鉛筆やボールペンのような筆記具が差し込み可能な結合溝を備えるのが望ましい。
【００１８】
上記本体は、キーホルダなどに掛けることができるようにリング部が備えられるのが望ましい。
【発明の効果】
【００１９】
本発明による読書補助用器具は、本捲れ防止部が本の綴じ目近くに密着して該当ページが捲れるのを防止する効果がある。また、上記本捲れ防止部は、場合によっては使用者が本のページを捲るための道具として使用することもできる効果がある。また、本発明の様々な実施例により多様な機能を付加して使用することができる効果がある。
【図面の簡単な説明】
【００２０】
【図１】本発明の望ましい一実施例による読書補助用器具の斜視図である。
【図２】図１に示した読書補助用器具の分解斜視図である。
【図３】図１に示した読書補助用器具の使用例を説明するための図である。
【図４】本発明の他の一実施例による読書補助用器具の分解斜視図である。
【図５】本発明のもう一つの実施例による読書補助用器具の分解斜視図である。
【図６】本発明のもう一つの実施例による読書補助用器具の分解斜視図である。
【図７】図５の読書補助用器具の使用例を示す図である。
【図８】図５の読書補助用器具の使用例を示す図である。
【図９】本発明の他の実施例による読書補助用器具を示す図である。
【図１０】本発明の他の実施例による読書補助用器具を示す図である。
【発明を実施するための形態】
【００２１】
以下、添付図面を参照しながら本発明による望ましい一実施例を詳しく説明する。
【００２２】
図１は、本発明の望ましい一実施例による読書補助用器具の斜視図である。図２は、図１に示した読書補助用器具の分解斜視図である。図３は、図１に示した読書補助用器具の使用例を説明するための図である。
【００２３】
図１乃至図３を参照すれば、本発明の望ましい一実施例による読書補助用器具１０は、本のページの間に挟まれて該当ページが捲れるのを防止するためのものであって、本体２０と、本捲れ防止部３０と、しおり４０と、耳栓５０とを含んでいる。
【００２４】
上記本体２０は、棒状からなる部材である。上記本体２０は、金属、プラスチック、木などのような多様な素材で製造できる。上記本体２０は、本捲れ防止部３０と、耳栓用収容溝部２２と、ガイド溝２４とを備えている。上記本捲れ防止部３０は、上記本体２０の表面に窪んだ輪郭に形成されている。本実施例において、上記本捲れ防止部３０は一対が備えられている。上記本捲れ防止部３０は、本１００の綴じ目付近に密着するようにその綴じ目付近の輪郭にぴったり沿う形状であるのが望ましい。上記本捲れ防止部３０は、吸着力のある高分子素材からなるパッドが付着されている。上記パッドは、上記本捲れ防止部３０を相互対向するページにぴったり接触させるために備えられるものである。上記パッドの材料としては、吸着力のあるシリコン、ゴムなどのように吸着性のある高分子素材が望ましい。上記耳栓用収容溝部２２は、上記本体２０の両側に備えられる。上記耳栓用収容溝部２２は、上記本体２０の内部へ窪んで形成されて収容空間を有する部分である。上記ガイド溝２４は、上記本体２０の長さ方向に長く形成された溝部である。上記ガイド溝２４は、後述のしおり４０を結合するために備えられるものである。
【００２５】
上記耳栓５０は、上記耳栓用収容溝部２２に分離可能に収容される。上記耳栓５０は、電車などのように周辺が騒がしい環境で読書する場合に、上記耳栓収容溝部２２から分離されて使用者の耳に嵌められて、使用者の読書環境に悪影響を及ぼす周辺の騒音を遮断することにより読書に集中できるようにするために備えられるものである。
【００２６】
上記しおり４０は、従来のしおりのように本のページの間に挟んで、読んだ部分を後で探しやすくするために備えられるものである。上記しおり４０は、上記本体２０からその本体２０の外部へ長く突出されている。上記しおり４０は、ガイドレール４５を備えている。上記ガイドレール４５は、上記本体２０に備えられたガイド溝２４に嵌められて上記しおり４０を上記本体２０に分離可能に結合させる役割をする。上記しおり４０は、シリコンなどのように柔軟性のある高分子素材からなるのが望ましい。上記しおり４０の素材としては、例えばゴム、シリコン、ポリ塩化ビニル（ＰＶＣ）などが用いられ得る。上記しおり４０の材質として柔軟な素材を用いるのは、しおりとして使われる場合に本のページに痕や傷ができないようにするためである。また、上記しおり４０には、紙面と接触する際に人の指よりも大きい摩擦力を有するようにするために柔軟性のある高分子素材を採用した。上記しおり４０は、上記本体２０から遠ざかるほど厚さが徐々に薄くなるように形成されている。
【００２７】
以下、上述の通り構成された本実施例による読書補助用器具１０の作用を、使用者が読書する場合を例に挙げて詳しく説明する。
【００２８】
図１は、使用者が本１００の特定ページを読んでいるところと仮定して示した図である。図１に示されているように、上記本体２０に備えられた本捲れ防止部３０を本１００の綴じ目付近の両面に密着するように配置する。上記本捲れ防止部３０は、両側のページの表面輪郭と一致して該当ページの表面に密着する。その状態でページが捲れようとする力が発生すれば、上記本捲れ防止部３０は該当ページの表面を加圧して該当ページが捲れるのを防止する役割をする。このように上記本捲れ防止部３０は簡単に本１００の綴じ目付近に挟まれることによってページが捲れるのを防止するため、使用者は読書時にわざわざ手や腕又は他の物を用いてページが捲れるのを防止する必要がなくなる。従って、読書時に両手を自由に使えるため、メモするなど自由に行動することができ、精神的に読書にのみ集中できる効果がある。また、上記読書補助用器具１０は、本のページを捲るための道具としても使用可能である。かかる効果は図３を参照すれば容易に理解できる。即ち、図３に示されているように、上記しおり４０を指で把持して上記本捲れ防止部３０を、捲ろうとするページの縁に接触させた状態で、該当ページを捲ろうとする方向へそっと力を加えれば、上記本捲れ防止部３０とページ表面との摩擦力によって該当ページだけが捲れるという効果が発生する。また、上記耳栓５０は、上述の通り、周辺が騒がしい環境で読書する場合に使用者に悪影響を及ぼす周辺の騷音を遮断して読書に集中できるという効果を提供する。
【００２９】
本発明による読書補助用器具は多様な変形実施例が可能であり、以下、そのうちいくつかの場合を添付図面を参照しながら説明する。
【００３０】
図４は、本発明の他の一実施例による読書補助用器具の分解斜視図である。図４を参照すると、本発明による読書補助用器具１０ａが、本体２０と、本捲れ防止部３０と、しおり４０とを含む点は、図１乃至図３を参照しながら説明した実施例と同一である。上記読書補助用器具１０ａは、上記本体２０の内部を長さ方向へ貫通する収納空間２５が備えられている。上記収納空間２５には、図４に示されているように、メモ紙６０及びクリーナー６５が分離可能に収納されている。上記メモ紙６０は、粘着性のあるメモ紙が重畳されているものである。上記メモ紙６０の代表例としては、所謂ポストイット（post-it）（商標）のようなメモ紙がある。上記メモ紙６０は、読書者が読書中に重要事項を書きとめたり簡単なメモができるようにするために備えられる。上記クリーナー６５はトング状であり、そのトング状の一側部に、メガネ、ルーペ、スクリーンなどの表面に接触して該メガネなどの表面を拭ける不織布や極細繊維からなる洗浄部６７を備えている。
【００３１】
図５に示された読書補助用器具１０ｂは、図４に示された器具と同一の構造を有し、収納空間２５に収納される付加物が違うだけである。上記収納空間２５には小型ルーペ７０及び小型ライト７５が収納されている。上記小型ルーペ７０は、図５に示されているように、板状のフレームの中央部に形成された貫通孔に凸レンズが設けられている。上記小型ライト７５は、図５、図７及び図８に示されているように、光源の装着された部分が折り曲げられるようになっていて、本のページや上記しおり４０を挟んで固定させることができるようにスリット７６が備えられている。上記小型ライト７５は、読書時、周辺に迷惑をかけることなく、周囲に照明施設が備わっていない所でも便利に読書できるように備えられたものである。上記小型ライト７５にはデジタル時計が備えられていて、読書者が読書時に時間を確認できるようにした。
【００３２】
図６に示された読書補助用器具１０ｃは、図４及び図５に示されたものと同一の構造を有し、収納空間２５に収納される付加物が違うだけである。即ち、図６を参照すると、上記収納空間２５にはＵＳＢメモリ８５又は小型充電池８０が収納されている。上記充電池８０と上記ＵＳＢメモリ８５は、相互一体結合されていてもよく、相互分離された状態で上記収納空間２５に収納されてもよい。上記充電池８０や上記ＵＳＢメモリ８５は、携帯電話やＰＭＰなどのような携帯用電子機器の電源供給や非常用メモリ手段として備えられる。
【００３３】
図９を参照すると、本発明による読書補助用器具１０ｄは、本体２０に鉛筆やボールペンのような筆記具を差し込み可能な結合溝２７を備えている点に特徴がある。上記結合溝２７は、学生が鉛筆などを上記読書補助用器具１０ｅに容易に差し込めるように備えられたもので、紛失の可能性を減らす効果を提供する。
【００３４】
図１０を参照すると、本発明による読書補助用器具１０ｅは、キーホルダなどに掛けることができるよう本体２０にリング部２８が備えられている。上記リング部２８は、使用者が上記読書補助用器具１０ｅをキーホルダや携帯電話などに容易に掛けて何時でも何処でも利用できるようにするためのもので、紛失の可能性を減らす効果を提供する。
本発明の実施例では、上記本体からその本体の外部へ長く突出されたしおりを含むこととしたが、上記しおりが備えられなくても本発明の目的を達成できる。
【００３５】
本発明の実施例で上記しおりは、柔軟性のある高分子素材からなることとしたが、柔軟性のある高分子素材ではなく、例えばポリプロピレンなどのように硬いプラスチック又は金属からなっても本発明の目的を達成できる。
【００３６】
本発明の実施例で上記本捲れ防止部は、相互対向するページに接触され得るように一対が備えられており、吸着力のある高分子素材が付着されていることとしたが、吸着力のある高分子素材が付着されていない場合でも、効果は多少劣るものの本発明の目的は十分に達成できる。
【００３７】
本発明の実施例で上記本体としおりは、分離可能に結合されていることとしたが、一体結合されていても本発明の目的を達成できる。
【００３８】
本発明の実施例で上記本体は、耳栓、メモ紙、クリーナー、ルーペ、ライト、充電池、ＵＳＢメモリなどが収納されることとしたが、このような付加物が収納されなくても本発明の目的を達成できる。ここに列挙しない他の付加物が収容された場合でも本発明の目的を達成できる。
【００３９】
以上、本発明を望ましい実施例を挙げて詳しく説明したが、本発明は上記実施例に限定されるものではなく、該当分野についての通常の知識を有する者によって本発明の技術的思想内で多様な変形が可能なことは明白である。
【符号の説明】
【００４０】
１０、１０ａ、１０ｂ、１０ｃ、１０ｄ、１０ｅ  読書補助用器具
２０  本体
２２  耳栓用収容溝部
２４  ガイド溝
２５  収納空間
２７  結合溝
２８  リング部
３０  本捲れ防止部
４０  しおり
４５  ガイドレール
５０  耳栓
６０  メモ紙
６５  クリーナー
６７  洗浄部
７０  小型ルーペ
７５  小型ライト
７６  スリット
８０  小型充電池
８５  ＵＳＢメモリ
１００  本
【図１】
2011527645.tif 000003
【図２】
2011527645.tif 000004
【図３】
2011527645.tif 000005
【図４】
2011527645.tif 000006
【図５】
2011527645.tif 000007
【図６】
2011527645.tif 000008
【図７】
2011527645.tif 000009
【図８】
2011527645.tif 000010
【図９】
2011527645.tif 000011
【図１０】
2011527645.tif 000012
【国際調査報告】
2011527645.tif 000013
2011527645.tif 000014
2011527645.tif 000015
2011527645.tif 000016